(57)【要約】【課題】相互に突き合わされる一対の障子に、利便性の高いハンドル部を導入することにある。【解決手段】窓枠と、前記窓枠内に摺動開閉可能に建て込まれ、相互に突き合わされる少なくとも一対の障子を含む複数の障子と、前記一対の障子のうちの第一障子の突合せ框に取り付けられた第一ハンドル部及び前記一対の障子のうちの第二障子の突合せ框に取り付けられた第二ハンドル部と、を有する引違い戸であって、前記第一ハンドル部は、第一台座と、該第一台座に回動可能に取り付けられた第一支軸と、該第一支軸を回動させる回動可能な第一把手と、該第一把手の回動により前記第一台座の上部から突出して前記第二障子に当接する第一突出当接部と、を備え、前記第二ハンドル部は、第二台座と、該第二台座に回動可能に取り付けられた第二支軸と、該第二支軸を回動させる回動可能な第二把手と、該第二把手の回動により前記第二台座の下部から突出して前記第一障子に当接する第二突出当接部と、を備えることを特徴とする。【選択図】図３
2015183472.tif 000002
【特許請求の範囲】
【請求項１】
窓枠と、
前記窓枠内に摺動開閉可能に建て込まれ、相互に突き合わされる少なくとも一対の障子を含む複数の障子と、
前記一対の障子のうちの第一障子の突合せ框に取り付けられた第一ハンドル部及び前記一対の障子のうちの第二障子の突合せ框に取り付けられた第二ハンドル部と、を有する引違い戸であって、
前記第一ハンドル部は、第一台座と、該第一台座に回動可能に取り付けられた第一支軸と、該第一支軸を回動させる回動可能な第一把手と、該第一把手の回動により前記第一台座の上部から突出して前記第二障子に当接する第一突出当接部と、を備え、
前記第二ハンドル部は、第二台座と、該第二台座に回動可能に取り付けられた第二支軸と、該第二支軸を回動させる回動可能な第二把手と、該第二把手の回動により前記第二台座の下部から突出して前記第一障子に当接する第二突出当接部と、を備えることを特徴とする引違い戸。
【請求項２】
請求項１に記載の引違い戸であって、
前記第一障子の前記突合せ框には、前記第二突出当接部を受ける第一受け部が取り付けられ、
前記第二障子の前記突合せ框には、前記第一突出当接部を受ける第二受け部が取り付けられていることを特徴とする引違い戸。
【請求項３】
請求項１又は請求項２に記載の引違い戸であって、
前記第一台座と前記第二台座とは同一形状であり、
前記第一支軸は前記第一台座の中心に設けられ、前記第二支軸は前記第二台座の中心に設けられていることを特徴とする引違い戸。
【請求項４】
請求項１乃至請求項３のいずれかに記載の引違い戸であって、
前記第一突出当接部及び前記第二突出当接部の、前記第二障子及び前記第一障子に当接する部分には、ローラーが設けられていることを特徴とする引違い戸。
【発明の詳細な説明】
【技術分野】
【０００１】
本発明は、引違い戸に関する。
【背景技術】
【０００２】
窓枠と、窓枠内に摺動開閉可能に建て込まれ、相互に突き合わされる少なくとも一対の障子を含む複数の障子と、を有する引違い戸は、既によく知られている。このような引違い戸としては、例えば、テラス戸として使用される４枚建の引違い戸を挙げることができる。
【０００３】
一方で、障子に取り付けられ、台座と、当該台座に回動可能に取り付けられた支軸と、当該支軸を回動させる回動可能な把手と、該把手の回動により台座から突出して当該障子に隣接する隣接部材（例えば、窓枠）に当接する突出当接部を備えたハンドル部が知られている。障子を開くために操作者が把手を操作すると、突出当接部が隣接部材に当接することとなる。その際に、突出当接部及び突出当接部が設けられている障子は、障子を開ける方向に隣接部材から反作用力を受ける。そして、この反作用力は、操作者が障子を開く際の始動力となる。このように、このハンドル部は、当該突出当接部を有していることで、サポート（アシスト）付きハンドルとなっている。
【先行技術文献】
【特許文献】
【０００４】
【特許文献１】特開２００１−２７１５２０号公報
【発明の概要】
【発明が解決しようとする課題】
【０００５】
ところで、従来は、４枚建の引違い戸等の相互に突き合わされる一対の障子の双方（換言すれば、突合せ框の双方）に上記サポート（アシスト）付きハンドルが設けられた例はなかった。上記サポート（アシスト）付きハンドルを、相互に突き合わされる一対の障子の各々（突き合わせ框の各々）に設けた場合には、上下方向における同一位置から互いの突出当接部が突出する構造となり、双方のサポート（アシスト）付きハンドル同士で干渉してしまう課題があった。したがって、相互に突き合わされる一対の障子に取り付けられたハンドル部の少なくとも一方は、サポート（アシスト）なしとなり、操作者にとって利便性の低いものとなっていた。特に、テラス戸に使用される４枚建の引違い戸のように一枚の障子の重量が重い大型の障子では、高齢者や子供の力で障子を開閉することにはかなりの労力を要した。
【０００６】
本発明は、かかる課題に鑑みてなされたものであり、その目的とするところは、相互に突き合わされる一対の障子に、障子の開放始動力を付与する利便性の高いハンドル部を導入することにある。
【課題を解決するための手段】
【０００７】
かかる目的を達成するために本発明の引違い戸は、窓枠と、
前記窓枠内に摺動開閉可能に建て込まれ、相互に突き合わされる少なくとも一対の障子を含む複数の障子と、
前記一対の障子のうちの第一障子の突合せ框に取り付けられた第一ハンドル部及び前記一対の障子のうちの第二障子の突合せ框に取り付けられた第二ハンドル部と、を有する引違い戸であって、
前記第一ハンドル部は、第一台座と、該第一台座に回動可能に取り付けられた第一支軸と、該第一支軸を回動させる回動可能な第一把手と、該第一把手の回動により前記第一台座の上部から突出して前記第二障子に当接する第一突出当接部と、を備え、
前記第二ハンドル部は、第二台座と、該第二台座に回動可能に取り付けられた第二支軸と、該第二支軸を回動させる回動可能な第二把手と、該第二把手の回動により前記第二台座の下部から突出して前記第一障子に当接する第二突出当接部と、を備えることを特徴とする引違い戸である。
【０００８】
このような引違い戸によれば、上下方向において異なる位置から互いの突出当接部が突出する構造となり、双方のハンドル部に設けた突出当接部同士が干渉してしまう問題がなくなる。そのため、相互に突き合わされる一対の障子の双方に、問題なく、利便性の高いハンドル部を導入することが可能となる。
【０００９】
かかる引違い戸であって、前記第一障子の前記突合せ框には、前記第二突出当接部を受ける第一受け部が取り付けられ、
前記第二障子の前記突合せ框には、前記第一突出当接部を受ける第二受け部が取り付けられていることが望ましい。
【００１０】
このような引違い戸によれば、突出当接部は受け部から安定した反作用力を受けることができる。そのため、操作者が第一障子や第二障子を開く際に、安定した始動力を得ることが可能となる。
【００１１】
かかる引違い戸であって、前記第一台座と前記第二台座とは同一形状であり、
前記第一支軸は前記第一台座の中心に設けられ、前記第二支軸は前記第二台座の中心に設けられていることが望ましい。
【００１２】
このような引違い戸によれば、共通の部品を第一台座と第二台座の双方に利用できる。また、当該部品を第二台座として使用する場合の第二台座の使用形態を、第一台座として使用する場合の第一台座の使用形態を前記中心周りに１８０度回転させたものとすることができ、このようにした場合に、第一支軸及び第一台座の上下方向における位置を、第二支軸及び第二台座の上下方向における位置と同じ位置とすることが可能となる。
【００１３】
かかる引違い戸であって、前記第一突出当接部及び前記第二突出当接部の、前記第二障子及び前記第一障子に当接する部分には、ローラーが設けられていることが望ましい。
【００１４】
このような引違い戸によれば、第一突出当接部及び第二突出当接部が摩耗しにくくなり、ハンドル部が耐久性の高いものとなる。
【発明の効果】
【００１５】
本発明によれば、相互に突き合わされる一対の障子に、利便性の高いハンドル部を導入することが可能となる。
【図面の簡単な説明】
【００１６】
【図１】引違い戸１０の正面模式図である。
【図２】引違い戸１０の横断面図である。
【図３】第一ハンドル部５０の正面図である。
【図４】第一ハンドル部５０の側面図である。
【図５】第一ハンドル部５０の背面図である。
【図６】図５のＡ−Ａ断面図である。
【図７】第一ハンドル部５０の上面図である。
【図８】第一ローラー６４と第二受け部８８の位置関係を示した概念図である。
【図９】第二ハンドル部７０の正面図である。
【図１０】第二ハンドル部７０の側面図である。
【図１１】第二ハンドル部７０の背面図である。
【図１２】図１１のＡ−Ａ断面図である。
【図１３】第二ハンドル部７０の上面図である。
【図１４】第二ローラー８４と第一受け部６８の位置関係を示した概念図である。
【発明を実施するための形態】
【００１７】
＝＝＝本実施の形態に係る引違い戸１０について＝＝＝
本実施の形態に係る引違い戸１０について、図１及び図２を用いて説明する。図１は、引違い戸１０の正面模式図である。図２は、引違い戸１０の横断面図である。
【００１８】
なお、以下の説明においては、建物等に取り付けられた状態の引違い戸１０を室内側から見たときに、上下となる方向を上下方向、左右となる方向を左右方向、室内外方向である奥行き方向を見込み方向として示す。
【００１９】
本実施の形態に係る引違い戸１０は、テラス戸等の所謂４枚建の引違い戸１０である。この引違い戸１０は、窓枠２０と、相互に突き合わされる一対の障子３０を含む複数の（４つの）障子３０と、を有している。
【００２０】
窓枠２０は、上枠２２と下枠２４と左右の（二つの）縦枠２６とを備えている。そして、窓枠２０は、これら４つの枠体が矩形状に枠組みされて、全体として開口を形成している。上枠２２と下枠２４は、左右方向に延びた長尺状の部材であり、縦枠２６は、上下方向に延びた長尺状の部材である。
【００２１】
４つの障子３０（便宜上、中央左障子３１、中央右障子３３、左障子３５、右障子３７と呼ぶ）は、前記開口を閉塞するように窓枠２０に取り付けられている。そして、４つの障子３０は、窓枠２０内に摺動開閉可能に建て込まれている。つまり、４つの障子３０は、開閉される際に、窓枠２０に摺動しながら、左右方向に移動するようになっている。
【００２２】
なお、４つの障子３０の各々は、框３０ａと、框３０ａに取り付けられたガラス３０ｂと、を備えている。
【００２３】
左右方向における中央に位置する２つの障子３０、すなわち、中央左障子３１（第一障子に相当）と中央右障子３３（第二障子に相当）が、前述した相互に突き合わされる一対の障子３０である。換言すれば、中央左障子３１と中央右障子３３との間には、突き合わせ部３８が設けられている。すなわち、中央左障子３１と中央右障子３３は、框３０ａとして、それぞれ突合せ框（左突合せ框３２及び右突合せ框３４）を備えている。なお、中央左障子３１を開ける際には、中央左障子３１を左側（図１の矢印参照）へ移動させ、中央右障子３３を開ける際には、中央右障子３３を右側（図１の矢印参照）へ移動させるようになっている。
【００２４】
また、左右方向における左側には、左障子３５が設けられている。すなわち、左障子３５は、中央左障子３１の左側に位置しており、双方の障子の間には、召し合わせ部３９が設けられている。なお、左障子３５を開ける際には、左障子３５を右側（図１の矢印参照）へ移動させるようになっている。
【００２５】
また、左右方向における右側には、右障子３７が設けられている。すなわち、右障子３７は、中央右障子３３の右側に位置しており、双方の障子３０の間には、召し合わせ部３９が設けられている。なお、右障子３７を開ける際には、右障子３７を左側（図１の矢印参照）へ移動させるようになっている。
【００２６】
なお、２つの召し合わせ部３９には、それぞれ障子３０の開閉が行われないようにするためのクレセント錠４４が設けられている。
【００２７】
また、４つの障子３０の各々には、ハンドル部４０が設けられており、操作者が当該ハンドル部４０（具体的には、ハンドル部４０の把手４１）を把持して障子３０の開閉を容易に行えるようになっている。なお、ハンドル部４０は、中央左障子３１においては左突合せ框３２に、中央右障子３３においては右突合せ框３４に、左障子３５においては左戸先框３５ａに、右障子３７においては右戸先框３７ａに、それぞれ取り付けられている。なお、突き合わせ框に取り付けられているハンドル部４０（このハンドル部４０は、４つの障子全体の中央に位置しているため、以下では、便宜上、中央ハンドル部４２とも呼ぶ）については、次項で詳しく説明する。
【００２８】
＝＝＝中央ハンドル部４２について＝＝＝
次に、中央ハンドル部４２について、詳しく説明する。中央ハンドル部４２としては、前述したとおり、左突合せ框３２に取り付けられた中央ハンドル部４２（以下、第一ハンドル部５０とする）と、右突合せ框３４に設けられた中央ハンドル部４２（第二ハンドル部７０とする）とが設けられている。ここで、双方の中央ハンドル部４２の構成については、共通する部分もあるが、相違点も存在する。そのため、以下では、先ず、第一ハンドル部５０について説明し、これに引き続いて、第二ハンドル部７０について説明する。
【００２９】
＜＜＜第一ハンドル部５０について＞＞＞
ここでは、本実施の形態に係る第一ハンドル部５０について、図１乃至図８を用いて説明する。以下では、先ず、第一ハンドル部５０の構成について説明し、その後に、第一ハンドル部５０の動作について説明する。
【００３０】
図３は、第一ハンドル部５０の正面図である。図４は、第一ハンドル部５０の側面図である。図５は、第一ハンドル部５０の背面図である。図６は、図５のＡ−Ａ断面図である。図７は、第一ハンドル部５０の上面図である。図８は、第一ローラー６４と第二受け部８８の位置関係を示した概念図である。なお、図８においては、便宜上、第一ローラー６４と第二受け部８８を図面上で重ねて表示している。
【００３１】
＜第一ハンドル部５０の構成について＞
第一ハンドル部５０は、第一把手５２と、第一支軸５４と、第一台座５６と、裏板５８と、第一突出当接部の一例としての第一蹴り出し部６１と、を有している。
【００３２】
第一把手５２は、中央左障子３１の開閉を行う操作者により把持される部分である。この第一把手５２は長尺状の部材であり、当該第一把手５２の長手方向における下端部が、後述する第一支軸５４に固定されている。また、第一把手５２は、図２及び図４に示すように、見込み方向において中央左障子３１や後述する第一台座５６よりも室内側に位置している。
【００３３】
また、第一把手５２の長手方向は、操作者により操作されていない状態（以下、非操作状態と呼ぶ）において、図３の実線部や図４に示すように、上下方向に沿っており、また、後述する第一台座５６の長手方向に沿っている。そして、操作者が、非操作状態の中央左障子３１を開ける際には、第一把手５２を把持して中央左障子３１を左側へ引くこととなるが、この際に、第一把手５２は、後述する第一支軸５４と一体的に回動することにより、当該第一支軸５４を回動させる。そして、第一把手５２の長手方向は、図３の二点鎖線部に示すように、傾く（左側に倒れる）こととなる。
【００３４】
操作者によって操作された第一把手５２の回動力を、第一支軸５４が、後述する裏板５８に伝達する機能を有する。この第一支軸５４は、図４に示すように、その長手方向が見込み方向に沿うように、第一台座５６に回動自在に取り付けられている。
【００３５】
また、図４及び図７に示すように、第一支軸５４の長手方向一端部は、第一把手５２に固定されており、図６に示すように、第一支軸５４の長手方向他端部は、第一台座５６内において裏板５８に取り付けられている。そのため、第一把手５２が回動すると、第一支軸５４が当該第一支軸５４の中心軸周りに回動して、裏板５８を回動させるようになっている。
【００３６】
なお、第一支軸５４は、図５に示すように、第一台座５６の中心に設けられている。すなわち、第一支軸５４は第一台座５６の長手方向における中央に設けられ、かつ、第一台座５６の幅方向における中央に設けられている。
【００３７】
第一台座５６は、裏板５８及び第一蹴り出し部６１を収容し、左突合せ框３２に直接的に取り付けられる部材である。この第一台座５６は、図５及び図６に示すように、長尺状の部材であり、その長手方向が上下方向に沿うように、中央左障子３１に設けられている。また、図１に示すように、第一台座５６は、左突合せ框３２の上下方向における中央よりも若干下側に位置している。
【００３８】
第一台座５６は、図５に示すように、その上下方向中央部に位置する第一収容部５６ａと、その上下方向両端部に位置する第一固定部５６ｂと、を有している。そして、第一収容部５６ａによって形成された空間に裏板５８及び第一蹴り出し部６１が収容され、第一固定部５６ｂにて第一台座５６が左突合せ框３２にネジ止めされている。また、第一支軸５４は、第一収容部５６ａを貫通した状態で、第一収容部５６ａに回動自在に支持されている。
【００３９】
さらに、第一台座５６の右側の側面（つまり、第一台座５６から見て中央右障子３３側及び左障子３５側のうちの中央右障子３３側の側面）には、図４及び図５に示すように、第一穴部５６ｃが設けられている。この第一穴部５６ｃは、図４に示すように、第一台座５６の上下方向における上部（換言すれば、第一収容部５６ａの上下方向における上端部）に備えられている。この第一穴部５６ｃは、第一蹴り出し部６１（具体的には、後述する第一ローラー６４）が第一台座５６から突出する際に通過する穴となっている（詳細については後述する）。
【００４０】
裏板５８は、第一支軸５４の回動力を第一蹴り出し部６１に伝達する機能を有しており、第一台座５６に収容されている。この裏板５８は、図５に示すように、基部５８ａと、当該基部５８ａから見込み方向に（図５において、紙面を貫く方向に）立ち上がった立ち上がり部５８ｂと、を有している。
【００４１】
基部５８ａは、面外方向が見込み方向に沿った平板状の部分である。この基部５８ａの略中央部には、図５に示すように、第一支軸５４が嵌め込まれている。すなわち、基部５８ａの略中央部には、嵌合穴５８ｃが設けられており、当該嵌合穴５８ｃに第一支軸５４が嵌め込まれている。そのため、裏板５８（基部５８ａ）は、第一支軸５４と一体的に回動することができるようになっている。
【００４２】
また、基部５８ａの長手方向における一端部には、リベット５９（本実施の形態においては段付きリベット）が設けられている。このリベット５９は、図６に示すように、その長手方向が見込み方向に沿った状態で、基部５８ａに取り付けられている。そのため、裏板５８（基部５８ａ）が回動すると、リベット５９が揺動するようになっている。そして、当該リベット５９には、第一蹴り出し部６１が係合しており、リベット５９の揺動により、第一蹴り出し部６１が回動するようになっている。
【００４３】
立ち上がり部５８ｂは、図５に示すように、基部５８ａの縁部から見込み方向に立ち上がった部分である。そして、当該立ち上がり部５８ｂのうちの、基部５８ａの長手方向における他端部に位置する部分（換言すれば、リベット５９の反対側に位置する部分）には、付勢部材として第一コイルスプリング６０が設けられている。
【００４４】
すなわち、図５に示すように、第一コイルスプリング６０の一端部は裏板５８（立ち上がり部５８ｂ）に固定されている一方で、他端部は第一台座５６に固定されている。そして、かかる状態で、第一コイルスプリング６０は、図５において裏板５８を反時計回りに回動させる方向へ付勢している。なお、第一コイルスプリング６０によって付勢されている裏板５８は、当該裏板５８の右下部５８ｄと左上部５８ｅが第一台座５６に接触することで、その回動が止められている。
【００４５】
第一蹴り出し部６１は、操作者により操作される第一把手５２の回動により、第一台座５６の上部から突出して中央右障子３３（具体的には、中央右障子３３に設けられた後述する第二受け部８８）に当接する部材である。
【００４６】
すなわち、中央左障子３１が閉じた状態で中央左障子３１を開くために操作者が第一把手５２を操作すると、第一蹴り出し部６１が中央右障子３３に当接することとなる。その際に、第一蹴り出し部６１及び第一蹴り出し部６１が設けられている中央左障子３１は、右から左へ向かう方向（つまり、中央左障子３１を開ける方向）に中央右障子３３から反作用力を受ける。そして、この反作用力は、操作者が中央左障子３１を開く際に操作者を助ける（サポートする）力となる。つまり、当該反作用力は、操作者が中央左障子３１を開く際の始動力となる。このように、本実施の形態に係る第一ハンドル部５０は、当該第一蹴り出し部６１を有していることで、サポート（アシスト）付きハンドルとなっている。
【００４７】
第一蹴り出し部６１は、操作者により操作されていない状態において、第一台座５６に収容されている。この際に、第一蹴り出し部６１の長手方向が、第一台座５６の長手方向（すなわち、上下方向）に沿った状態となっている。
【００４８】
第一蹴り出し部６１は、第一アーム６２と、回動軸６３と、第一ローラー６４と、を備えている。第一アーム６２は、回動軸６３（本実施の形態においては、段付きリベット）によって第一台座５６に、回動軸６３に対して回動自在となるように固定されている。つまり、第一蹴り出し部６１は、回動軸６３（回動軸６３は回動しない）を中心に回動できるようになっている。
【００４９】
第一アーム６２の長手方向における一端部には、挿入穴６２ａが設けられ、当該挿入穴６２ａにリベット５９が挿入されている。そして、リベット５９は、当該挿入穴６２ａ（第一アーム６２）に対して相対回動可能となっている。したがって、裏板５８が回動してリベット５９が揺動すると、第一アーム６２がリベット５９により押されて、第一アーム６２が回動軸６３を中心に回動するようになっている。すなわち、裏板５８の回動力は、リベット５９を介して第一アーム６２に伝達される。
【００５０】
また、第一アーム６２の長手方向における他端部には、第一ローラー６４が設けられている。そして、第一アーム６２が回動すると、当該第一ローラー６４が第一台座５６の上部（つまり、第一台座５６の上下方向における中央よりも上側）から突出して（すなわち、第一台座５６の第一穴部５６ｃを通過して）、中央右障子３３に当接するようになっている。つまり、第一ローラー６４は、第一蹴り出し部６１のうち中央右障子３３に当接する部分に設けられている。
【００５１】
なお、前述した通り、第一蹴り出し部６１は、第二受け部８８に当接する。第二受け部８８は、第一蹴り出し部６１を受けるための樹脂製の部材であり、図２及び図８に示すように、中央右障子３３の右突合せ框３４に取り付けられている。この第二受け部８８は、左右方向において、前述した第一穴部５６ｃに対向する位置、換言すれば、第一台座５６に収容された第一ローラー６４に対向する位置に、位置している。そして、第一ローラー６４が、第一穴部５６ｃを通過して第一台座５６の上部から突出した際には、第二受け部８８に当接し、第二受け部８８が第一ローラー６４を受け止めるようになっている。
【００５２】
＜第一ハンドル部５０の動作について＞
次に、第一ハンドル部５０の動作について説明するが、先ず、前述した非操作状態における第一ハンドル部５０の様子について説明する。
【００５３】
非操作状態においては、第一把手５２が操作者により操作されていないため（第一把手５２に操作者が触れていないため）、第一コイルスプリング６０の付勢力により、裏板５８が第一台座５６に押しつけられている。つまり、裏板５８の状態は、図５に示すような状態となっており、裏板５８の右下部５８ｄと左上部５８ｅが第一台座５６に接触している。
【００５４】
そして、かかる接触状態において、リベット５９は、図５に示すように、第一台座５６の幅方向（つまり、左右方向）において、第一台座５６の短手方向中央よりも第一把手５２から遠い側に位置している。そして、かかる際には、第一蹴り出し部６１は、第一台座５６内に収まっており、第一台座５６から突出していない。
【００５５】
また、当該接触状態において、第一把手５２の状態は、図３の実線部や図５に示すような状態となっており、第一把手５２の長手方向は、上下方向に沿っており、また、第一台座５６の長手方向に沿っている。
【００５６】
操作者が、非操作状態の中央左障子３１を開ける際には、第一把手５２を把持して中央左障子３１を左側へ引くこととなる。かかる際に、第一把手５２は、図３において反時計回りに回動し、図３の二点鎖線部分に示すように、傾く（左側に倒れる）こととなる。
【００５７】
第一把手５２が回動すると、当該第一把手５２と一体的に第一支軸５４及び裏板５８が回動する。裏板５８は、第一コイルスプリング６０の付勢力に抗して図５において時計回りに回動し、第一台座５６に押しつけられている状態から解放される（第一台座５６から離れる）。そして、裏板５８の回動により、リベット５９が、揺動し、第一台座５６の幅方向（つまり、左右方向）において、第一台座５６の短手方向中央よりも第一把手５２から近い側に位置することとなる。
【００５８】
リベット５９が揺動すると、当該リベット５９に押されて第一アーム６２（第一蹴り出し部６１）が、図５において反時計回りに回動する。そして、第一アーム６２が回動すると、第一ローラー６４が第一台座５６の上部から突出して（すなわち、第一穴部５６ｃを通過して）、第二受け部８８に当接する。その際に、中央左障子３１（第一ローラー６４）は、右から左へ向かう方向（つまり、中央左障子３１を開ける方向）に中央右障子３３（第二受け部８８）から反作用力を受ける。そして、この反作用力は、操作者が中央左障子３１を開く際の始動力となり、操作者は小さい力で中央左障子３１を開けることができる。
【００５９】
＜＜＜第二ハンドル部７０について＞＞＞
次に、本実施の形態に係る第二ハンドル部７０について、図９乃至図１４を用いて説明する。以下では、先ず、第二ハンドル部７０の構成について説明し、その後に、第二ハンドル部７０の動作について説明する。
【００６０】
図９は、第二ハンドル部７０の正面図である。図１０は、第二ハンドル部７０の側面図である。図１１は、第二ハンドル部７０の背面図である。図１２は、図１１のＡ−Ａ断面図である。図１３は、第二ハンドル部７０の上面図である。図１４は、第二ローラー８４と第一受け部６８の位置関係を示した概念図である。なお、図１４においては、便宜上、第二ローラー８４と第一受け部６８を図面上で重ねて表示している。
【００６１】
＜第二ハンドル部７０の構成について＞
第二ハンドル部７０は、第二把手７２と、第二支軸７４と、第二台座７６と、第二突出当接部の一例としての第二蹴り出し部８１と、を有している。
【００６２】
第二把手７２は、中央右障子３３の開閉を行う操作者により把持される部分である。この第二把手７２は長尺状の部材であり、当該第二把手７２の長手方向における下端部が、後述する第二支軸７４に固定されている。また、第二把手７２は、図２及び図１０に示すように、見込み方向において中央右障子３３や後述する第二台座７６よりも室内側に位置している。
【００６３】
また、第二把手７２の長手方向は、非操作状態において、図９の実線部や図１０に示すように、上下方向に沿っており、また、後述する第二台座７６の長手方向に沿っている。そして、操作者が、非操作状態の中央右障子３３を開ける際には、第二把手７２を把持して中央右障子３３を右側へ引くこととなるが、この際に、第二把手７２は、後述する第二支軸７４と一体的に回動することにより、当該第二支軸７４を回動させる。そして、第二把手７２の長手方向は、図９の二点鎖線部に示すように、傾く（右側に倒れる）こととなる。
【００６４】
なお、第二把手７２は、第一把手５２と同一形状かつ同一寸法を有している。そのため、第一把手５２と第二把手７２の意匠は同一となっている。したがって、共通の部品を第一把手５２と第二把手７２の双方に利用できるようになっている。また、第二把手７２の上下方向における位置は、第一把手５２の上下方向における位置と一致している。
【００６５】
操作者によって操作された第二把手７２の回動力を、第二支軸７４が、後述する第二蹴り出し部８１に伝達する機能を有する。この第二支軸７４は、図１０に示すように、その長手方向が見込み方向に沿うように、第二台座７６に回動自在に取り付けられている。
【００６６】
また、図１０及び図１３に示すように、第二支軸７４の長手方向一端部は、第二把手７２に固定されており、図１２に示すように、第二支軸７４の長手方向他端部は、第二台座７６内において第二蹴り出し部８１に取り付けられている。そのため、第二把手７２が回動すると、第二支軸７４が当該第二支軸７４の中心軸周りに回動して、第二蹴り出し部８１を回動させるようになっている。
【００６７】
なお、第二支軸７４は、図１１に示すように、第二台座７６の中心に設けられている。すなわち、第二支軸７４は第二台座７６の長手方向における中央に設けられ、かつ、第二台座７６の幅方向における中央に設けられている。
【００６８】
なお、第二支軸７４は、第一支軸５４と同一形状かつ同一寸法を有している。そのため、第一支軸５４と第二支軸７４の意匠は同一となっている。したがって、共通の部品を第一支軸５４と第二支軸７４の双方に利用できるようになっている。また、第二支軸７４の上下方向における位置は、第一支軸５４の上下方向における位置と一致している。
【００６９】
第二台座７６は、第二蹴り出し部８１を収容し、右突合せ框３４に直接的に取り付けられる部材である。この第二台座７６は、図１１及び図１２に示すように、長尺状の部材であり、その長手方向が上下方向に沿うように、中央右障子３３に設けられている。また、図１に示すように、第二台座７６は、右突合せ框３４の上下方向における中央よりも若干下側に位置している。
【００７０】
第二台座７６は、図１１に示すように、その上下方向中央部に位置する第二収容部７６ａと、その上下方向両端部に位置する第二固定部７６ｂと、を有している。そして、第二収容部７６ａによって形成された空間に第二蹴り出し部８１が収容され、第二固定部７６ｂにて第二台座７６が右突合せ框３４にネジ止めされている。また、第二支軸７４は、第二収容部７６ａを貫通した状態で、第二収容部７６ａに回動自在に支持されている。
【００７１】
さらに、第二台座７６の左側の側面（つまり、第二台座７６から見て中央左障子３１側及び右障子３７側のうちの中央左障子３１側の側面）には、図１０及び図１１に示すように、第二穴部７６ｃが設けられている。この第二穴部７６ｃは、図１０に示すように、第二台座７６の上下方向における下部（換言すれば、第二収容部７６ａの上下方向における下端部）に備えられている。この第二穴部７６ｃは、第二蹴り出し部８１（具体的には、後述する第二ローラー８４）が第二台座７６から突出する際に通過する穴となっている（詳細については後述する）。
【００７２】
なお、第二台座７６は、第一台座５６と同一形状かつ同一寸法を有している。そのため、第一台座５６と第二台座７６の意匠は同一となっている。したがって、共通の部品を第一台座５６と第二台座７６の双方に利用できるようになっている。
【００７３】
ただし、第一台座５６の第一穴部５６ｃと第二台座７６の第二穴部７６ｃは、第一台座５６（第二台座７６）の中心に対して点対称の位置に位置する。そのため、前記部品を第一台座５６に用いるときと第二台座７６に用いるときとでは、取り付けの際の部品の向きが変更されることとなる。つまり、当該部品を第一台座５６に用いるときには、部品の穴部が上側に位置するように取り付けられ、当該部品を第二台座７６に用いるときには、部品の穴部が下側に位置するように取り付けられる。つまり、第二台座７６の形態は、第一台座５６を前記中心周りに１８０度回転した形態と同じである。
【００７４】
また、第二台座７６の上下方向における位置は、第一台座５６の上下方向における位置と一致している。
【００７５】
第二蹴り出し部８１は、操作者により操作される第二把手７２の回動により、第二台座７６の下部から突出して中央左障子３１（具体的には、中央左障子３１に設けられた後述する第一受け部６８）に当接する部材である。
【００７６】
すなわち、中央右障子３３が閉じた状態で中央右障子３３を開くために操作者が第二把手７２を操作すると、第二蹴り出し部８１が中央左障子３１に当接することとなる。その際に、第二蹴り出し部８１及び第二蹴り出し部８１が設けられている中央右障子３３は、左から右へ向かう方向（つまり、中央右障子３３を開ける方向）に中央左障子３１から反作用力を受ける。そして、この反作用力は、操作者が中央右障子３３を開く際に操作者を助ける（サポートする）力となる。つまり、当該反作用力は、操作者が中央右障子３３を開く際の始動力となる。このように、本実施の形態に係る第二ハンドル部７０は、当該第二蹴り出し部８１を有していることで、サポート（アシスト）付きハンドルとなっている。
【００７７】
第二蹴り出し部８１は、操作者により操作されていない状態において、第二台座７６に収容されている。この際に、第二蹴り出し部８１の長手方向が、第二台座７６の長手方向（すなわち、上下方向）に沿った状態となっている。
【００７８】
第二蹴り出し部８１は、第二アーム８２と、第二ローラー８４と、を備えている。第二アーム８２は、図１１に示すように、基部８２ａと、当該基部８２ａから見込み方向に立ち上がった立ち上がり部８２ｂと、を有している。
【００７９】
基部８２ａは、面外方向が見込み方向に沿った平板状の部分である。この基部８２ａには、図１１に示すように、第二支軸７４が嵌め込まれている。すなわち、基部８２ａには、嵌合穴８２ｃが設けられており、当該嵌合穴８２ｃに第二支軸７４が嵌め込まれている。そのため、第二アーム８２（基部８２ａ）は、第二支軸７４と一体的に回動することができるようになっている。
【００８０】
立ち上がり部８２ｂは、図１１に示すように、基部８２ａの縁部から見込み方向に立ち上がった部分である。そして、当該立ち上がり部８２ｂのうちの、基部８２ａ（第二アーム８２）の長手方向における一端部に位置する部分（換言すれば、第二ローラー８４の反対側に位置する部分）には、付勢部材として第二コイルスプリング８０が設けられている。
【００８１】
すなわち、図１１に示すように、第二コイルスプリング８０の一端部は第二アーム８２（立ち上がり部８２ｂ）に固定されている一方で、他端部は第二台座７６に固定されている。そして、かかる状態で、第二コイルスプリング８０は、図１１において第二アーム８２を時計回りに回動させる方向へ付勢している。なお、第二コイルスプリング８０によって付勢されている第二アーム８２は、当該第二アーム８２の左下部８２ｄと右上部８２ｅが第二台座７６に接触することで、その回動が止められている。
【００８２】
また、第二アーム８２の長手方向における他端部（換言すれば、第二コイルスプリング８０の反対側に位置する部分）には、第二ローラー８４が設けられている。そして、第二アーム８２が回動すると、当該第二ローラー８４が第二台座７６の下部（つまり、第二台座７６の上下方向における中央よりも下側）から突出して（すなわち、第二台座７６の第二穴部７６ｃを通過して）、中央左障子３１に当接するようになっている。つまり、第二ローラー８４は、第二蹴り出し部８１のうち中央左障子３１に当接する部分に設けられている。なお、第二ローラー８４は、第一ローラー６４と同一形状かつ同一寸法を有しているため、共通の部品を第一ローラー６４と第二ローラー８４の双方に利用できるようになっている。
【００８３】
なお、前述した通り、第二蹴り出し部８１は、第一受け部６８に当接する。第一受け部６８は、第二蹴り出し部８１を受けるための樹脂製の部材であり、図２及び図１４に示すように、中央左障子３１の左突合せ框３２に取り付けられている。この第一受け部６８は、左右方向において、前述した第二穴部７６ｃに対向する位置、換言すれば、第二台座７６に収容された第二ローラー８４に対向する位置に、位置している。そして、第二ローラー８４が、第二穴部７６ｃを通過して第二台座７６の下部から突出した際には、第一受け部６８に当接し、第一受け部６８が第二ローラー８４を受け止めるようになっている。
【００８４】
＜第二ハンドル部７０の動作について＞
次に、第二ハンドル部７０の動作について説明するが、先ず、前述した非操作状態における第二ハンドル部７０の様子について説明する。
【００８５】
非操作状態においては、第二把手７２が操作者により操作されていないため（第二把手７２に操作者が触れていないため）、第二コイルスプリング８０の付勢力により、第二蹴り出し部８１（第二アーム８２）が第二台座７６に押しつけられている。つまり、第二蹴り出し部８１（第二アーム８２）の状態は、図１１に示すような状態となっており、第二蹴り出し部８１（第二アーム８２）の左下部８２ｄと右上部８２ｅが第二台座７６に接触している。そして、かかる接触状態において、第二蹴り出し部８１は、第二台座７６内に収まっており、第二台座７６から突出していない。
【００８６】
また、当該接触状態において、第二把手７２の状態は、図９の実線部や図１１に示すような状態となっており、第二把手７２の長手方向は、上下方向に沿っており、また、第二台座７６の長手方向に沿っている。
【００８７】
操作者が、非操作状態の中央右障子３３を開ける際には、第二把手７２を把持して中央右障子３３を右側へ引くこととなる。かかる際に、第二把手７２は、図９において時計回りに回動し、図９の二点鎖線部分に示すように、傾く（右側に倒れる）こととなる。
【００８８】
第二把手７２が回動すると、当該第二把手７２と一体的に第二支軸７４及び第二蹴り出し部８１（第二アーム８２）が回動する。第二蹴り出し部８１（第二アーム８２）は、第二コイルスプリング８０の付勢力に抗して図１１において反時計回りに回動し、第二ローラー８４が第二台座７６の下部から突出して（すなわち、第二穴部７６ｃを通過して）、第一受け部６８に当接する。その際に、中央右障子３３（第二ローラー８４）は、左から右へ向かう方向（つまり、中央右障子３３を開ける方向）に中央左障子３１（第一受け部６８）から反作用力を受ける。そして、この反作用力は、操作者が中央右障子３３を開く際の始動力となり、操作者は小さい力で中央右障子３３を開けることができる。
【００８９】
＝＝＝本実施の形態に係る引違い戸１０の有効性について＝＝＝
上述したとおり、本実施の形態に係る引違い戸１０は、窓枠２０と、窓枠２０内に摺動開閉可能に建て込まれ、相互に突き合わされる少なくとも一対の障子３０（中央左障子３１及び中央右障子３３）を含む複数の障子３０と、一対の障子３０のうちの中央左障子３１の左突合せ框３２に取り付けられた第一ハンドル部５０及び前記一対の障子３０のうちの中央右障子３３の右突合せ框３４に取り付けられた第二ハンドル部７０と、を有している。
【００９０】
そして、第一ハンドル部５０は、第一台座５６と、該第一台座５６に取り付けられた第一支軸５４と、該第一支軸５４を中心に回動する第一把手５２と、該第一把手５２の回動により第一台座５６の上部から突出して中央右障子３３に当接する第一蹴り出し部６１と、を備えている。また、第二ハンドル部７０は、第二台座７６と、該第二台座７６に取り付けられた第二支軸７４と、該第二支軸７４を中心に回動する第二把手７２と、該第二把手７２の回動により第二台座７６の下部から突出して中央左障子３１に当接する第二蹴り出し部８１と、を備えている。そのため、相互に突き合わされる一対の障子３０（中央左障子３１及び中央右障子３３）に、利便性の高いハンドル部４０を導入することが可能となる。
【００９１】
すなわち、上述したとおり、従来は、４枚建の引違い戸等の相互に突き合わされる一対の障子（中央左障子及び中央右障子）の双方（換言すれば、突合せ框の双方）にサポート（アシスト）付きハンドルが設けられた例はなかった。上記サポート（アシスト）付きハンドルを、中央左障子及び中央右障子の各々（中央左障子及び中央右障子の突き合わせ框の各々）に設けた場合には、上下方向における同一位置から互いの蹴り出し部が突出する構造となり、双方のサポート（アシスト）付きハンドル同士で干渉してしまう課題があった。したがって、中央左障子及び中央右障子に取り付けられたハンドル部の少なくとも一方は、サポート（アシスト）なしとなり、操作者にとって利便性の低いものとなっていた。
【００９２】
これに対し、本実施の形態では、中央左障子３１の左突合せ框３２に取り付けられた第一ハンドル部５０においては、第一蹴り出し部６１が第一台座５６の上部から突出して中央右障子３３に当接する。その一方で、中央右障子３３の右突合せ框３４に取り付けられた第二ハンドル部７０においては、第二蹴り出し部８１が第二台座７６の下部から突出して中央左障子３１に当接する。そのため、上下方向において異なる位置から互いの蹴り出し部が突出する構造となり、双方のハンドル部同士で蹴り出し部が干渉してしまう問題がなくなる。したがって、問題なく、中央左障子３１及び中央右障子３３の双方に、利便性の高いサポート（アシスト）付きハンドルを導入することが可能となる。
【００９３】
また、本実施の形態において、中央左障子３１の左突合せ框３２には、第二蹴り出し部８１を受ける第一受け部６８が取り付けられ、中央右障子３３の右突合せ框３４には、第一蹴り出し部６１を受ける第二受け部８８が取り付けられていることとした。
【００９４】
そのため、蹴り出し部は受け部から安定した反作用力を受けることができ、操作者が中央左障子３１や中央右障子３３を開く際に、安定した始動力を得ることが可能となる。
【００９５】
また、本実施の形態においては、第一台座５６と第二台座７６とは同一形状であり、第一支軸５４は第一台座５６の中心に設けられ、第二支軸７４は第二台座７６の中心に設けられていることとした。
【００９６】
そのため、共通の部品を第一台座５６と第二台座７６の双方に利用できる。また、当該部品を第二台座７６として使用する場合の第二台座７６の使用形態を、第一台座５６として使用する場合の第一台座５６の使用形態を前記中心周りに１８０度回転させたものとすることができ、このようにした場合に、第一支軸５４及び第一台座５６の上下方向における位置を、第二支軸７４及び第二台座７６の上下方向における位置と同じ位置とすることが可能となる。
【００９７】
また、本実施の形態においては、第一蹴り出し部６１及び第二蹴り出し部８１の、中央右障子３３及び中央左障子３１に当接する部分には、ローラー（第一ローラー６４及び第二ローラー８４）が設けられていることとした。
【００９８】
そのため、第一蹴り出し部６１及び第二蹴り出し部８１が摩耗しにくくなり、ハンドル部４０が耐久性の高いものとなる。
【００９９】
＝＝＝その他の実施の形態＝＝＝
上記の実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【０１００】
上記実施の形態においては、引違い戸１０として、４枚建の引違い戸１０を例に挙げたが、これに限定されるものではない。例えば、５枚建以上の引違い戸１０であってもよい。
【０１０１】
また、上記実施の形態においては、第一障子として中央左障子３１を例に挙げ、第二障子として中央右障子３３を例に挙げたが、これに限定されるものではなく、第一障子が中央右障子３３であり、第二障子が中央左障子３１であることとしてもよい。すなわち、上記においては、中央左障子３１に取り付けられたハンドル部の蹴り出し部が台座の上部から突出し、中央右障子３３に取り付けられたハンドル部の蹴り出し部が台座の下部から突出することとしたが、中央左障子３１に取り付けられたハンドル部の蹴り出し部が台座の下部から突出し、中央右障子３３に取り付けられたハンドル部の蹴り出し部が台座の上部から突出することとしてもよい。
【符号の説明】
【０１０２】
１０  引違い戸
２０  窓枠、３０  障子
３１  中央左障子、３２  左突合せ框
３３  中央右障子、３４  右突合せ框
４０  ハンドル部
５０  第一ハンドル部、５２  第一把手、５４  第一支軸
５６  第一台座、６１  第一蹴り出し部、６４  第一ローラー
６８  第一受け部
７０  第二ハンドル部、７２  第二把手、７４  第二支軸
７６  第二台座、８１  第二蹴り出し部、８４  第二ローラー
８８  第二受け部
【図１】
2015183472.tif 000003
【図２】
2015183472.tif 000004
【図３】
2015183472.tif 000005
【図４】
2015183472.tif 000006
【図５】
2015183472.tif 000007
【図６】
2015183472.tif 000008
【図７】
2015183472.tif 000009
【図８】
2015183472.tif 000010
【図９】
2015183472.tif 000011
【図１０】
2015183472.tif 000012
【図１１】
2015183472.tif 000013
【図１２】
2015183472.tif 000014
【図１３】
2015183472.tif 000015
【図１４】
2015183472.tif 000016